(57)【要約】      （修正有）【課題】大型化を抑えつつ保持力を高めたカードコネクタを提供する。【解決手段】受容空間１ｂの内向きに突き出た形状を有し受容空間１ｂに受容されたトレイ３０の係止凹部３３に入り込んでトレイ３０を係止する係止部を備えた係止板１２と、係止板１２の上に重なるように配置され挿入方向（矢印Ａ方向）にスライド自在であって挿入されてきたピン４０の先端に押されて挿入方向奥側にスライドするスライダ１４と、挿入方向奥側にスライドしたスライダ１４に第１端１５２が押されて回動しトレイ３０を第２端１５３で押し出すイジェクトレバー１５とを備える。係止板１２は、その係止板１２の挿入方向手前側端部に、挿入方向奥側に向かって登る斜面に形成され挿入されてきたピン４０に押されて下向きに撓むことにより係止部１２１を下向きに移動させて係止凹部３３から外す係止解除部１２２を有する。【選択図】図４
0003189284.tif 000002
【実用新案登録請求の範囲】
【請求項１】
挿入方向に挿入されてきた、該挿入方向に交わる幅方向側面に係止凹部が形成された挿入体を受容する受容空間が形成されたカードコネクタであって、
前記受容空間内向きに突き出た形状を有し該受容空間に受容された前記挿入体の前記係止凹部に入り込んで該挿入体を係止する係止部を前記挿入方向手前側端部に備えた係止板と、
前記係止板の上に重なるように配置され前記挿入方向にスライド自在であって挿入されてきた排出ピンの先端に押されて該挿入方向奥側にスライドするスライダと、
前記受容空間奥側に配置され前記幅方向に延びて途中に回動軸を有し、挿入方向奥側にスライドしたスライダに第１端が押されて回動し前記挿入体を第２端で押し出すイジェクトレバーとを備え、
前記係止板が、該係止板の前記挿入方向手前側端部に、前記挿入方向奥側に向かって登る斜面に形成され挿入されてきた前記排出ピンに押されて下向きに撓むことにより前記係止部を下向きに移動させて前記係止凹部から外す係止解除部を有することを特徴とするカードコネクタ。
【請求項２】
前記係止部が、前記係止解除部とともに斜面に形成されていることを特徴とする請求項１記載のカードコネクタ。
【請求項３】
前記挿入体が、カードが搭載されて該カードとともに前記受容空間に挿入されるカードトレイを有し、該カードトレイに前記係止凹部が形成されていることを特徴とする請求項１又は２記載のカードコネクタ。
【考案の詳細な説明】
【技術分野】
【０００１】
本考案は、メモリカードやＳＩＭ（加入者識別モジュール）カード等のカードが挿入されるカードコネクタに関する。
【背景技術】
【０００２】
カードコネクタの場合、カードが挿入された状態で多少の衝撃が加わってもカードが正規の挿入位置から抜け出ないように保持しておく必要がある。
【０００３】
特許文献１には、挿入されたカードの保持部材として作用するイジェクトプレートをハウジングのガイド壁に沿わせることによって保持力を向上させたカードコネクタが開示されている。
【先行技術文献】
【特許文献】
【０００４】
【特許文献１】特開２００３−２１７７３８号公報
【考案の概要】
【考案が解決しようとする課題】
【０００５】
上掲の特許文献１の技術では、イジェクトプレートをハウジングのガイド壁に沿わせてはいるが、衝撃が加わったときそのイジェクトプレートの係合部が潰れる方向に変形し、保持力のさらなる向上は望めない。保持力をさらに高めようとすると、大型の保持部材を必要とするなど、カードコネクタの大型化を招くおそれがある。
【０００６】
本考案は、大型化を抑えつつ保持力を高めたカードコネクタを提供することを目的とする。
【課題を解決するための手段】
【０００７】
上記目的を達成する本考案のカードコネクタは、挿入方向に挿入されてきた、挿入方向に交わる幅方向側面に係止凹部が形成された挿入体を受容する受容空間が形成されたカードコネクタであって、
受容空間内向きに突き出た形状を有し受容空間に受容された挿入体の係止凹部に入り込んで挿入体を係止する係止部を挿入方向手前側端部に備えた係止板と、
係止板の上に重なるように配置され挿入方向にスライド自在であって挿入されてきた排出ピンの先端に押されて挿入方向奥側にスライドするスライダと、
受容空間奥側に配置され幅方向に延びて途中に回動軸を有し、挿入方向奥側にスライドしたスライダに第１端が押されて回動し挿入体を第２端で押し出すイジェクトレバーとを備え、
上記係止板が、その係止板の挿入方向手前側端部に、挿入方向奥側に向かって登る斜面に形成され挿入されてきた排出ピンに押されて下向きに撓むことにより係止部を下向きに移動させて係止凹部から外す係止解除部を有することを特徴とする。
【０００８】
本考案のカードコネクタは、排出ピンの挿入により係止板を撓ませることにより挿入体の係止凹部との間の係止を解除するものであって、この係止板は、挿入方向については剛体として作用する。したがって、挿入体が抜け出る向きに強い衝撃が加わっても挿入体は確実に保持され続ける。
【０００９】
ここで、本考案のカードコネクタにおいて、上記係止部が、上記係止解除部とともに斜面に形成されていることが好ましい。
【００１０】
係止部が斜面に形成されていると、挿入体を受容空間内に挿入するときに係止部が挿入体に押されてその通路から逃げるために、挿入体挿入時に係止部を逃がす特別な機構等は不要であり、その分簡易な構造が実現する。
【００１１】
さらに、本考案において、上記挿入体は、カード自体であって、そのカード自体に係止凹部が形成されていてもよい。あるいは、上記挿入体は、カードが搭載されてカードとともに受容空間に挿入されるカードトレイを有し、そのカードトレイに係止凹部が形成されていてもよい。カードトレイに係止凹部を形成し、そのカードトレイにカードを搭載して受容空間に挿入するタイプのカードコネクタの場合、カード自体にはこの係止構造に関する考慮は不要である。したがって、本考案は、カードトレイを備えたタイプのカードコネクタにより向いている。
【考案の効果】
【００１２】
以上の本考案のカードコネクタによれば、大型化を招くことなく、挿し込まれた状態の挿入体の不用意な抜けが防止される。
【図面の簡単な説明】
【００１３】
【図１】本考案の第１実施形態としてのカードコネクタの、トレイを抜き出した状態の平面図である。
【図２】図１に示すカードコネクタから金属シェルを取り除いた状態の、カードコネクタの平面図である。
【図３】トレイが受容空間に受容された状態のカードコネクタの平面図および断面図である。
【図４】受容空間に受容されたトレイが押し出される途中の状態を示した、カードコネクタの平面図および断面図である。
【図５】受容空間に受容されたトレイが押し出された後の状態を示した、カードコネクタの平面図および断面図である。
【考案を実施するための形態】
【００１４】
以下、本考案の実施形態について説明する。
【００１５】
図１は、本考案の第１実施形態としてのカードコネクタの、トレイを抜き出した状態の平面図である。
【００１６】
また、図２は、図１に示すカードコネクタから金属シェルを取り除いた状態の、カードコネクタの平面図である。尚、ここでは、金属シェルの有無にかかわらずカードコネクタと称することがある。
【００１７】
また、図３は、トレイが受容空間に受容された状態のカードコネクタの平面図（Ａ）および断面図（Ｂ）である。
【００１８】
さらに、図４，図５は、それぞれ、受容空間に受容されたトレイが押し出される途中の状態および押し出された後の状態を示した、カードコネクタの平面図および断面図である。
【００１９】
これら図３〜図５では、金属シェル２０は、取り外されている。また、これら図３〜図５では、ハウジング組立体１０とトレイ３０の位置関係が分かるように、双方が重ね描きされている。また、これら図３〜図５において、（Ａ）は平面図、（Ｂ）は図３（Ａ）に示す矢印Ａ−Ａに沿う断面図である。
【００２０】
このカードコネクタ１には、ハウジング組立体１０（図２参照）と、金属シェル２０（図１参照）と、トレイ３０が備えられている。トレイ３０には、中央に大きな開口３１が形成され、その開口の縁に支持台３２が設けられている。このトレイ３０には、ＳＩＭカード（図示せず）が、そのＳＩＭカード底面の周縁を支持台３２に載せ、そのＳＩＭカード底面の中央の広い領域を開口３１から下方に露出させた状態に支持される。
【００２１】
ハウジング組立体１０と金属シェル２０との間には、トレイ３０が差し込まれる差込口１ａが形成されている。また、その差込口１ａの奥には、トレイ３０に載置された状態のＳＩＭカードを受け入れる受容空間１ｂ（例えば図２参照）が形成されている。トレイ３０は、ハウジング組立体１０に対し、矢印Ａで示す挿入方向に挿入される。本実施形態では、トレイ３０単体か、あるいは、トレイ３０と、このトレイ３０に載置されるＳＩＭカードとを合わせたものが、本考案にいう挿入体の一例に相当する。
【００２２】
また、トレイ３０には、挿入方向（矢印Ａ方向）に交わる幅方向側面に係止凹部３３が形成されている。一方、ハウジング組立体１０には、係止板１２（例えば図３（Ｂ）参照）が備えられている。この係止板１２には、挿入方向（矢印Ａ方向）手前側端部の係止解除部１２２から受容空間内向きに突き出た形状の係止部１２１が設けられている。これら係止部１２１および係止解除部１２２は、挿入方向（矢印Ａ方向）奥側に向かって登る斜面に形成されている。係止部１２１は、トレイ３０が受容空間１ｂに受容されたときにトレイ３０の係止凹部３３に入り込んでトレイ３０を係止してトレイ３０の不用意な抜けを防止する役割を担っている。また、係止解除部１２２は、後述するようにしてその係止部１２１による係止を解除する役割を担っている。
【００２３】
ハウジング組立体１０には、その基体となる樹脂製のハウジング１１が備えられており、このハウジング１１には、係止板１２の係止部１２１および係止解除部１２２を下に覗かせる開口１１３が形成されている。また、このハウジング組立体１０には、ハウジング１１と一体に成形された金属製の複数のコンタクト１３が備えられている。各コンタクト１３は、回路基板（図示せず）の表面に半田接続される基板接続部１３１を有する。トレイ３０に載置されたＳＩＭカードの下面には、電気的な接続を担うパッドが形成されている。これらのコンタクト１３は、トレイ３０に載置されて受容空間１ｂに受容されたＳＩＭカードの下面のパッドに接触し、ＳＩＭカードと回路基板とを電気的に相互接続する役割を担っている。
【００２４】
また、このハウジング組立体１０にはさらに、スライダ１４とイジェクトレバー１５が備えられている。
【００２５】
スライダ１４は、係止板１２の上に重なるように配置された金属部材であって、挿入方向（矢印Ａ方向）に延びてハウジング１１に対し挿入方向（矢印Ａ方向）にスライド自在に、そのハウジング１１に支持されている。
【００２６】
トレイ３０には、スライダ１４を押し込むための外部のピン４０（図４，図５参照）が差し込まれる貫通孔３４が形成されており、また、ハウジング１１にもそのピン４０を受け入れる開口１１２が形成されている。
【００２７】
また、イジェクトレバー１５は、受容空間１ｂの奥側に配置されて挿入方向（矢印Ａ方向）に交わる幅方向に延びる金属部材であり、その途中がハウジング１１に回動自在に支持されて回動軸１５１が形成されている。このイジェクトレバー１５は、挿入方向（矢印Ａ方向）奥側にスライドしたスライダ１４に第１端１５２が押されて反時計回り（図４，図５に示す矢印Ｄの向き）に回動し、トレイ３０を第２端１５３で押し出す役割を担っている。
【００２８】
図１，図２に示すように取り出されている状態のトレイ３０を挿入方向（矢印Ａ方向）に挿入口１ａから挿入し、受容空間１ｂに受容させる。すると、係止板１２の係止部１２１が斜面に形成されていることから、トレイ３０がその係止部１２１を押し下げる。前述したように、ハウジング１１には、係止板１２の係止部１２１および係止解除部１２２を下に覗かせる開口１１３が形成されている。このため、トレイ３０に押し下げられた係止部１２１およびその係止部１２１に繋がる係止解除部１２２は、ハウジング１１に邪魔されることなく、下向き（図４，図５に示す矢印Ｅの向き）に撓み、これによりトレイ３０の通路が確保される。そしてトレイ３０が挿入方向（矢印Ａ方向）に更に挿入されていくと、図３に示すように、イジェクトレバー１５の第２端１５３がトレイ３０で押されて時計回り（矢印Ｃの向き）に回動し、スライダ１４を挿入方向手前側（図４に示す矢印Ｂ方向）にスライドさせる。係止凹部３３が係止板１２の係止部１２１の位置に達するまでトレイ３０が挿入されると、係止板１２の係止部１２１がトレイ３０の係止凹部３３に入り込んでトレイ３０の不用意な抜けを防止する。
【００２９】
ここで、係止板１２は金属板のせん断加工を経て形成されたものであって、この係止板１２の係止部１２１は、せん断加工前の板材の面を上下に向けた姿勢に配置されトレイ３０の側面に向かって広がって係止凹部３３に入り込んでいるため、その係止部１２１は挿入方向（矢印Ａ方向）には剛体として作用する。したがって、トレイ３０が抜ける向きに衝撃が加わっても係止部１２１が潰れるような変形が防止されて所期の保持力が維持され、トレイ３０の強固な抜け止めが図られる。
【００３０】
図４に示すように、トレイ３０の貫通孔３４からピン４０を差し込んでピン４０でスライダ１４を挿入方向（矢印Ａ方向）奥側に押し込むと、そのピン４０の先端が係止板１２の係止解除部１２２に当たる。この係止解除部１２２は、斜面に形成されているため、ピン４０の先端で押されると下向き（図４，図５に示す矢印Ｅの向き）に撓む。そして、そのピン４０は、係止板１２の係止解除部１２２を下向きに撓ませたままスライダ１４に突き当たり、スライダ１４を挿入方向（矢印Ａ方向）に押しながら係止板１２の上を滑るようにして進む。この動きにより、スライダ１４がイジェクトレバー１５の第１端１５２を押してイジェクトレバー１５が反時計回り（矢印Ｄの向き）に回動し、その第２端１５３でトレイ３０を挿入方向手前側（矢印Ｂ方向）に押す。ここで、ピン４０が係止解除部１２２を押し下げたとき、係止板１２の、係止解除部１２２の横に設けられている係止部１２１も係止解除部１２２と一緒に、係止凹部３３との係止が外れる位置まで下向きに移動する。このため、トレイ３０は、イジェクトバー１５で押されると、この図４に示す状態を経てトレイ３０が図５に示す状態にまで押し出される。図５に示す状態にまで押し出された後は、指の爪などをトレイ３０に掛けてトレイ３０が引き出される。
【００３１】
尚、上記の本実施形態のカードコネクタ１では、図示を省略したＳＩＭカードを載せた状態のトレイ３０が挿入される。ただし、本考案は、ＳＩＭカード以外のメモリカードをトレイに載せて挿入するカードコネクタにも適用可能である。
【００３２】
また、本実施形態のカードコネクタ１は、ＳＩＭカードをトレイ３０に載せて挿入するタイプのカードコネクタであるが、本考案は、メモリカード等のカードをトレイなしに挿入するタイプのカードコネクタにも適用することができる。ただし、その場合は、そのカード自体に係止凹部が設けられている必要がある。
【符号の説明】
【００３３】
１    カードコネクタ
１ａ    挿入口
１ｂ    受容空間
１０    ハウジング組立体
１１    ハウジング
１２    係止板
１３    コンタクト
１４    スライダ
１５    イジェクトレバー
２０    金属シェル
３０    トレイ
３１    開口
３２    支持台
３３    係止凹部
３４    貫通孔
４０    ピン
１１２，１１３    開口
１２１    係止部
１２２    係止解除部
１５１    回動軸
１５２    第１端
１５３    第２端
【図１】
0003189284.tif 000003
【図２】
0003189284.tif 000004
【図３】
0003189284.tif 000005
【図４】
0003189284.tif 000006
【図５】
0003189284.tif 000007